(57)【特許請求の範囲】
【請求項１】
プリンタ本体が上体と下体とから構成され、上記上体は、左右方向の一方側で前記下体に連結されかつその他方側で前記下体に非連結とされた片持梁構造に構成され、
前記上体に左右方向に伸びるガイドロッドと、
このガイドロッドに左右方向に移動可能に装着されたキャリアと、
このキャリアに装着されたインクジェット印字ヘッドとが設けられ、
印字対象用紙を前後方向に搬送する搬送装置として、
前記上体側の上流側と下流側とにそれぞれ設けられ、左右方向に伸びる上搬送ローラーと、
前記下体側に上記上搬送ローラにそれぞれ対向して設けられ、左右方向に伸びる下搬送ローラーと、
下搬送ローラー側を左右方向の複数点で上搬送ローラー側に常にばね付勢する付勢手段とを有し、
上記付勢手段のばね付勢力は、前記一方側より前記他方側を大きく設定し、前記上体の前記一方側から前記他方側に向けて増大する撓み変形の影響を除去したことを特徴とするレジ用インクジェットプリンタ。
【請求項２】
前記印字対象用紙が非連続紙である伝票とされ、前記搬送装置は、前記非連結とされた他方側で、前記下体と前記上体との隙間を通して前記伝票の一部がプリンタ本体内に挿入されかつ前記伝票の残部がプリンタ本体外に突出する伝票を、前記伝票の一部と接触して前記前後方向に搬送可能に形成されている請求項１に記載のレジ用インクジェットプリンタ。
【請求項３】
前記印字対象用紙は、非連続紙である伝票および連続紙であるレシート用紙であり、
前記搬送装置は、前記非連続紙である伝票を、前記前後方向である伝票搬送方向に搬送する伝票搬送装置と前記レシート用紙を前記前後方向である用紙搬送方向に搬送する用紙搬送装置とを備えた請求項１に記載のレジ用インクジェットプリンタ。
【発明の詳細な説明】
【０００１】
【発明の属する技術分野】
本発明は、プリンタ本体が左右方向の一方側で上体が下体に連結されかつその他方側で当該上体が当該下体に非連結とされた片持梁構造に形成され、印字対象用紙を前後方向に搬送するための搬送装置として上体側に設けた上搬送ローラーと下体側に設けた下搬送ローラーと，下搬送ローラー側を上搬送ローラー側に付勢する付勢手段とを有し、上体の一方側から他方側に向けて増大する撓み変形の影響を除去しつつ用紙の上面とインクジェット印字ヘッドとの上下方向間隔を一定範囲内に保持可能に形成されているレジ用インクジェットプリンタに関する。
【０００２】
【従来の技術】
独立的に使用しあるいはＰＯＳシステムのターミナルとして使用される例えば電子キャッシュレジスタ型の商品販売データ処理装置（この明細書では、以下、単に“レジ”と略称する。）では、顧客買上商品について商品登録し、１取引終了宣言の締め操作を条件として会計処理を行う。登録商品情報および会計処理情報等を含むレシート印字情報は編集されかつレジ用プリンタを駆動制御してレシート用紙に印字される。そして、カットされたレシートを発行し当該顧客に手渡される。
【０００３】
従来、レジ用プリンタは、サーマルプリンタを採用すると消耗品であるレシート用紙（感熱用紙）が高価であることから、ニードルを用いたドットインパクト方式の印字ヘッドを採用したプリンタが多用されている。
【０００４】
また、レジでは、支払い方法の多様化等から、各種伝票に当該各種伝票情報を印字する場合が増大している。伝票には店内事務処理等のためのものも含まれる。また、伝票情報には、レシート印字情報の全部または一部、さらには当該各伝票に固有的な情報が含まれる。
【０００５】
しかし、レシートと伝票とでは、平面的形態や印字態様が異なるので、レシート用プリンタと伝票用プリンタとを別個に設けているが、当然にコスト高および装置全体の大型化を招く。
【０００６】
そこで、レシート用紙と伝票とを１台のレジ用プリンタで印字可能に構築したものが提案・利用されている。つまり、レシートと伝票とを同一のプリンタで印字・発行するのが得策である。また、業務能率の点から印字後のレシートおよび伝票を同一方向（キャッシャーの立っている方向）に排出（発行）するのが好ましい。
【０００７】
すなわち、印字後のレシートと伝票とは同一方向（例えば、本体の手前）つまりキャッシャーの手元で排出させたい。すると、レシート用紙（レシート）の幅寸法よりも伝票の横幅の方が長いので、伝票はレシート用紙の搬送方向（例えば、奥行側→手前側）と逆の方向（手前側→奥行側）から挿入しかつ印字後に逆搬送（奥行側→手前側）して排出させなければならない。
【０００８】
かくして、レシートと伝票との上記相異から、用紙および伝票の搬送方向を変更しかつインパクト印字のために例えば印字ヘッドおよび印字ガイド面（印字領域）を平面内で位置ずれさせたりしなければならないので、構造複雑で印字ヘッドの往復移動時間が長くなる。つまり、印字処理時間が長くなる。条件によっては別個の印字ヘッドを用いなければならないので、装置小型化および装置低コスト化を十分に達成できているとは言い難いとの指摘がある。
【０００９】
【発明が解決しようとする課題】
さらに近年、レシートの利用性が高まっている。例えば、顧客がレシートからレシート印字情報を黙読して自宅パソコンに当該レシート印字情報をキー入力し、あるいはＯＣＲを用いて読取り入力して、家計簿を管理する等である。伝票の場合も同様である。したがって、レシート印字情報・伝票情報のレシート・伝票への鮮明・高画質印字が強く望まれつつある。
【００１０】
一方において、キャッシャーおよび顧客ともに、ドットインパクトプリンタによる印字時の騒音が大きく耳障りである。つまり、使用環境上の改善が望まれている。また、用紙搬送機構等を含むプリンタをレジ本体内に組込む従来構造では、レジ自体としては電子化による小型化ができ得るのに、プリンタが大きなスペースを占有するので、結果としてレジ全体の小型化を阻止する要因となっている。
【００１１】
さらに、各顧客に手渡しされるレシートを当該店舗等の宣伝媒体に有効利用（使用）したいとの要請が一段と強まっている。印字機能の高度化により、例えば、特売商品や新規入荷商品を高密度の文字情報やモノクロ・カラー画像情報としてアピールする等である。同様に、伝票印字機能を利用して例えば伝票類似形態の割引券等を発行したいとの要請も多い。
【００１２】
本発明の目的は、印字対象用紙にインクジェット印字へッドを利用して各種の印字対象情報を高画質で高速印字できる低騒音のレジ用インクジェットプリンタを提供することにある。
【００１３】
【課題を解決するための手段】
従来は、レシート用紙および伝票の双方を印字しなければならずかつ伝票を可逆搬送しなければならないことから、印字ヘッドは慣行的に上記のドットインパクト方式が採用されている。
【００１４】
これに対してインクジェット印字ヘッドを採択すれば、レシート用紙および伝票の双方にそれぞれ非接触印字ができることから、同一のインクジェット印字ヘッドを用いかつ同一の印字領域においてレシート用紙および伝票の印字処理高速化を達成できかつ小型化を図れるとともに、高画質印字かつ低騒音印字ができる筈である。
【００１５】
ここに、本発明は、インクジェット印字ヘッドを用いたプリンタでは印字対象媒体（伝票）を印字後にインク汚れ防止の観点から逆搬送するという技術的観念がないのに対して、これを打破する新規な発想に基づき、インクジェット印字ヘッドを採択してその利益を発揮可能とするとともに、その採択による欠点（インク汚れ等）を巧みに解消できるように構成したものである。
【００１６】
すなわち、本願の請求項１に係る発明は、プリンタ本体が上体と下体とから構成され、上記上体は、左右方向の一方側で前記下体に連結されかつその他方側で前記下体に非連結とされた片持梁構造に構成され、前記上体に左右方向に伸びるガイドロッドと、このガイドロッドに左右方向に移動可能に装着されたキャリアと、このキャリアに装着されたインクジェット印字ヘッドとが設けられ、印字対象用紙を前後方向に搬送する搬送装置として、前記上体側の上流側と下流側とにそれぞれ設けられ、左右方向に伸びる上搬送ローラーと、前記下体側に上記上搬送ローラにそれぞれ対向して設けられ、左右方向に伸びる下搬送ローラーと、下搬送ローラー側を左右方向の複数点で上搬送ローラー側に常にばね付勢する付勢手段とを有し、上記付勢手段のばね付勢力は、前記一方側より前記他方側を大きく設定し、前記上体の前記一方側から前記他方側に向けて増大する撓み変形の影響を除去したものである。
【００１７】
かかる発明では、プリンタ本体が左右方向の一方側で上体が下体に連結されかつその他方側で当該上体が当該下体に非連結とされた片持梁構造に形成されているので、非連結の上体と下体との隙間を通して非連続紙である伝票を挿入できる。しかし、上体にはインクジェット印字ヘッドが装着されかつ左右方向に伸びるガイドロッドに左右方向に移動可能に装着されたキャリアが設けられているので、上体の一方側から他方側に向けて増大する撓み変形が発生する虞が強い。
【００１８】
ここに、印字対象用紙を前後方向に搬送するための搬送装置が、下体側に設けられた左右方向に伸びる下搬送ローラーを常に付勢手段の付勢力によって上体側に設けられた左右方向に伸びる上搬送ローラー側を押し上げる構成とされているので、上体の一方側から他方側に向けて増大する撓み変形の影響を除去しつつ下搬送ローラーと上搬送ローラーとで搬送される用紙の上面とインクジェット印字ヘッドとの上下方向間隔を一定範囲内に保持することができる。
【００１９】
つまり、ともに上体側に設けられたキャリアのガイドロッドと上搬送ローラーとは左右方向に渡って上下方向の相対位置が一定であるが、上体が他方側に行くにしたがって下方への撓みが増大する虞がある。しかし、下搬送ローラーが上搬送ローラー側に常に付勢されているので、上搬送ローラーの下側接触位置と下搬送ローラーの上側接触位置とは左右方向の何処でも密接している。すなわち、各接触位置は、ガイドロッドを左右方向に往復移動（例えば、摺動）するインクジェット印字ヘッドとの上下方向相対位置が一定である。
【００２０】
したがって、連続紙たるレシート用紙（印字対象用紙）や他方側の隙間を通した非連続紙たる伝票（印字対象用紙）を前後方向に搬送しつつ高密度な文字列や図形を高品質で静かに印字することができる。
【００２７】
さらに、請求項２の発明は、前記印字対象用紙が非連続紙である伝票とされ、前記搬送装置は、前記非連結とされた他方側で、前記下体と前記上体との隙間を通して前記伝票の一部がプリンタ本体内に挿入されかつ前記伝票の残部がプリンタ本体外に突出する伝票を、前記伝票の一部と接触して前記前後方向に搬送可能に形成されているレジ用インクジェットプリンタである。
【００２８】
かかる発明では、伝票の左右方向の手前側（残部）を持ちかつ隙間を通してその先端側（一部）をプリンタ本体内に挿入すると、搬送装置がプリンタ本体外に残部が突出した状態でかつ当該一部と接触して当該伝票を前後方向に搬送する。したがって、請求項１の発明の場合と同様な作用効果を奏することができることに加え、さらに伝票の平面的大きさに関する適応性が広い。
【００２９】
さらにまた、請求項３の発明では、前記印字対象用紙は、非連続紙である伝票および連続紙であるレシート用紙であり、前記搬送装置は、前記非連続紙である伝票を、前記前後方向である伝票搬送方向に搬送する伝票搬送装置と前記レシート用紙を前記前後方向である用紙搬送方向に搬送する用紙搬送装置とを備えたものである。
かかるレジ用インクジェットプリンタでは、前記搬送装置を、例えば、上下方向に２組配設し、上方側の搬送装置が前記伝票を搬送可能でかつ下方側の用紙搬送装置が前記印字対象用紙を形成しかつ連続紙であるレシート用紙を搬送可能に形成されたレジ用インクンジェットプリンタである。
【００３０】
かかる発明では、下方側の搬送装置は、連続紙であるレシート用紙を前後方向に搬送でき、かつ上方側の搬送装置が伝票を前後方向に搬送することができる。つまり、連続紙を下方側で搬送可能な状態を保持しつつ、その上方で非連続紙の伝票を適宜に挿入して印字させることができるとともに、上下関係にあるのでレシート用紙上の印字面（上面）に伝票の非印字面（下面）が直接に触れることがない。したがって、請求項１から請求項４までの各発明の場合と同様な作用効果を奏することができることに加え、さらにレシート用紙および伝票の搬送を一段と円滑に行えかつ印字品質を一段と向上できる。
【００３１】
【発明の実施の形態】
以下、本発明の実施形態について図面を参照して説明する。
本レジ用インクジェットプリンタ２０は、図１〜図９示す如く、プリンタ本体２１が左右方向の一方側（固定端側）ＲＴで上体２３が下体２５に連結されかつその他方側（自由端側）ＦＴで当該上体２３が当該下体２５に非連結とされた片持梁構造に形成され、上体２３に左右方向に伸びるガイドロッド３１と，このガイドロッド３１に左右方向に移動可能に装着されたキャリア３２と，このキャリア３２に装着されたインクジェット印字ヘッド４０とを設け、印字対象用紙（レシート用紙１１０，伝票１２０）を前後方向に搬送するための搬送装置（５０，６０）として、上体２３側に設けた左右方向に伸びる上搬送ローラー（５２，６２）と，下体２５側に設けた左右方向に伸びる下搬送ローラー（５５，６５）と，下搬送ローラー（５５，６５）側を上搬送ローラー（５２，６２）側に付勢する付勢手段７０とを有し、上体２３の一方側から他方側に向けて増大する撓み変形の影響を除去しつつ下搬送ローラー（５５，６５）と上搬送ローラー（５２，６２）とで搬送される用紙（１１０，１２０）の上面とインクジェット印字ヘッド４０との上下方向間隔（Ｃｈｓ，Ｃｈｓ＋伝票厚さ分＋Ｃｓｒ）を一定範囲内に保持可能に形成されている。
【００３２】
この実施形態では、印字対象用紙がレシート用紙１１０および伝票１２０とされ、搬送装置が連続用紙であるレシート用紙１１０を用紙搬送方向Ｘｒへ搬送するための用紙搬送装置５０および非連続用紙である伝票１２０を伝票搬送方向（Ｘｓ１，Ｘｓ２）へ搬送する伝票搬送装置６０とされ、また上搬送ローラーを用紙搬送装置５０を形成する用紙搬送用ローラー５２および伝票搬送装置６０を形成する伝票搬送用ローラー６２としかつ下搬送ローラーを用紙搬送装置５０を形成する用紙搬送用ローラー５５および伝票搬送装置６０を形成する伝票搬送用ローラー６５とした場合について説明する。
【００３３】
本プリンタ２０は、図１に示す電子キャッシュレジスタ（レジ）１０にケーブル１０Ｃを介して接続され、商品登録および会計処理に伴うレシート印字情報をレシート（１１０）に印字しかつ伝票１２０に伝票情報を印字するために使用される。
【００３４】
この電子キャッシュレジスタ１０は、図１の本体１０Ｂ内に格納された制御部（ＣＰＵ，ＲＯＭ，ＲＡＭ）に、ＨＤＤ，ＦＤＤ，キーボード１４，スキャナ（図示省略），キャッシャー用表示器１６Ａおよび顧客用表示器１６Ｂからなる表示器１６および自動解放型のドロワ１７を接続した構成とされている。
【００３５】
また、本プリンタ２０の駆動制御部は、ＭＰＵ等を含む制御部に、メモリ，表示部８３，ボタン（スイッチ）部８４，モータ駆動部，センサー部，カッター部およびインターフェイスを含み、電子キャッシュレジスタ１０から受信したレシート印字情報等を含む印字要求信号に基づきインクジェット印字ヘッド４０を駆動制御して、当該各情報を当該用紙（１１０，１２０）に印字する。
【００３６】
ここに、プリンタ２０は、図１に示すように、プリンタ本体２１（上体２３，下体２５）の後方側にロール用紙収容部２７を設け、前方側に伝票挿入部（伝票排出部）２５Ｓおよびレシート発行部２５Ｒを設けた外観とされている。
【００３７】
そして、伝票１２０は伝票挿入部２５Ｓから上体２３と下体２５との間の隙間２５Ｈを通して正搬送方向Ｘｓ１へ挿入され、伝票情報が印字されつつロール用紙収容部２７の開口部を覆う上蓋２４上にその先端側（一部）が一時保留されかつ印字終了後に伝票排出部２５Ｓから排出される。つまり、キャッシャーは、レシート（１１０）と伝票１２０とをその場（手前側）で取り扱える。
【００３８】
図２〜図４において、プリンタ本体２１は、左右方向の一方側ＲＴ（図３で右側）で上体２３が下体２５に連結されかつその他方側ＦＴ（左側）で当該上体２３が当該下体２５に非連結とされた片持梁構造に形成されている。
【００３９】
上体２３側に装着されたインクジェット印字ヘッド４０は、キャリア移動機構３０（左右方向に伸びるガイドロッド３１，このガイドロッド３１に摺動可能に装着されたキャリア３２）によってかつガイドロッド３１に沿って左右方向に往復移動可能である。
【００４０】
キャリア３２には、インクジェット印字ヘッド４０にインクを供給するためのインクカセット４５が着脱自在に設けられている。図２，図３中の１００は、インクジェット印字ヘッド４０からインクを強制吐出させて当該ヘッド（ノズル）をメンテナンスするヘッドメンテナンス手段である。
【００４１】
印字対象用紙［１１０（１２０）］を前後方向に搬送するための搬送装置５０（６０）は、上体２３側に設けた左右方向に伸びる上搬送ローラー［用紙搬送用ローラー５２Ｕ・５２Ｄ（伝票搬送用ローラー６２Ｕ・６２Ｄ）］と，下体２５側に設けた左右方向に伸びる下搬送ローラー［用紙搬送用ローラー５５Ｕ・５５Ｄ（伝票搬送用ローラー６５Ｕ・６５Ｄ）］と，下側の各搬送用ローラー５５Ｕ・５５Ｄ（６５Ｕ・６５Ｄ）側を当該上側の各搬送用ローラー５２Ｕ・５２Ｄ（６２Ｕ・６２Ｄ）側に付勢する付勢手段７０とを有し、上体２３の一方側ＲＴから他方側ＦＴに向けて増大する撓み変形の影響を除去しつつ下側の各搬送用ローラー５５Ｕ・５５Ｄ（６５Ｕ・６５Ｄ）と，上側の各搬送用ローラー５２Ｕ・５２Ｄ（６２Ｕ・６２Ｄ）とで搬送される用紙［レシート用紙１１０（伝票１２０）］の上面とインクジェット印字ヘッド４０との上下方向間隔（Ｃｈｓ，Ｃｈｓ＋伝票厚さ分＋Ｃｓｒ）を一定範囲内に保持可能に形成されている。
【００４２】
かくして、非連結の上体２３と下体２５との他方側ＦＴの隙間２５Ｈを通して非連続紙である伝票１２０を挿入できる。しかし、上体２３にはインクジェット印字ヘッド４０が装着されかつ左右方向に伸びるガイドロッド３１に左右方向に摺動可能に装着されたキャリア３２が設けられているので、上体２３の一方側ＲＴから他方側に向けて増大する撓み変形が発生する虞が強いが、図３，図８に示す付勢手段７０（バネ７０Ｌ，７０Ｒ）が下側の各搬送ローラー５５Ｕ・５５Ｄ（６５Ｕ・６５Ｄ）を上体２３側に設けられた左右方向に伸びる上側の各搬送用ローラー５２Ｕ・５２Ｄ（６２Ｕ・６２Ｄ）側へ常に押し上げるので、その撓み変形の影響を除去できる。
【００４３】
つまり、ともに上体２３側に設けられたキャリア３２のガイドロッド３１と上側の各搬送ローラー５２Ｕ・５２Ｄ（６２Ｕ・６２Ｄ）［回転軸５１Ｕ，５１Ｄ（６１Ｕ，６１Ｄ）］とは左右方向に渡って上下方向の相対位置が一定であるが、上体２３が他方側に行くにしたがって下方への撓みが増大する虞がある。しかし、下側の各搬送用ローラー５５Ｕ・５５Ｄ（６５Ｕ・６５Ｄ）が当該上側の各搬送用ローラー５２Ｕ・５２Ｄ（６２Ｕ・６２Ｄ）側に付勢されているので、上側の各搬送用ローラー５２Ｕ・５２Ｄ（６２Ｕ・６２Ｄ）の下側接触位置と当該下側の各搬送用ローラー５５Ｕ・５５Ｄ（６５Ｕ・６５Ｄ）の上側接触位置とは左右方向の何処でも密接している。
【００４４】
すなわち、各接触位置は、ガイドロッド３１を左右方向に摺動（往復移動）するインクジェット印字ヘッド４０との上下方向相対位置が一定である。したがって、連続紙たるレシート用紙１１０や他方側の隙間２５Ｈを通した非連続紙たる伝票１２０を前後方向に搬送しつつ高密度な文字列や図形を高品質で静かに印字することができる。
【００４５】
なお、図２〜図４では、伝票搬送装置６０の上流側でかつ下側の搬送用ローラー６５Ｕを構成する２つのローラー要素６５ＥＵＬ，６５ＥＵＲを付勢手段７０（２つのバネ７０Ｌ，７０Ｒ）で付勢した状態を示している。また、図４のバネ７０ＲＵは一方側で上流側、バネ７０ＲＤは一方側で下流側に配設されたものである。
【００４６】
かくして、印字対象媒体であるレシート用紙１１０や伝票１２０に接触する面積を小さくすることができる。つまり、下側の各搬送用ローラー５５Ｕ・５５Ｄ（６５Ｕ・６５Ｄ）が印字面を擦る度合いを大幅に軽減することができるとともに、付勢手段７０（バネ７０Ｌ，７０Ｒ、バネ７０Ｌ，７０Ｒ）が下側の各搬送用ローラー５５Ｕ・５５Ｄ，６５Ｕ・６５Ｄ用の各回転軸５３，６３を左右方向の複数（２）点で付勢するので、上体２３の一方側ＲＴの付勢力を小さくかつ他方側ＦＴの付勢力を大きくすることが容易になる。
【００４７】
すなわち、搬送装置５０（６０）で前後方向に搬送される印字対象媒体［１１０（１２０）］の左右方向（幅方向）における各部位とインクジェット印字ヘッド４０との間隔［Ｃｈｓ＋伝票厚さ分＋Ｃｓｒ（Ｃｈｓ）］を一段と均一にできるから、印字品質を一層高められる。
【００４８】
しかも、上搬送ローラー５２Ｕ・５２Ｄ（６２Ｕ・６２Ｄ）および下搬送ローラー５５Ｕ・５５Ｄ（６５Ｕ・６５Ｄ）が、左右方向に伸びる各回転軸５１Ｕ・５１Ｄ（６１Ｕ・６１Ｄ）および５３Ｕ・５３Ｄ（６３Ｕ・６３Ｄ）に離隔する複数の上搬送ローラー要素（詳細は後記する。）および下搬送ローラー要素（詳細は後記する。）から形成されているので、印字対象媒体であるレシート用紙１１０や伝票１２０に接触する面積を小さくすることができる。つまり、各上搬送ローラー５２Ｕ・５２Ｄ（６２Ｕ・６２Ｄ）が当該各印字面を擦る度合いを大幅に軽減することができる。
【００４９】
また、付勢手段７０（７０Ｌ，７０Ｒ）の付勢力を一方側（バネ７０Ｒ）が弱くかつ他方側（バネ７０Ｌ）が強いものと選択してある。つまり、上体２３の撓みが大きい他方側ＦＴの付勢力が強くかつ撓みの小さい一方側ＲＴの付勢力が小さいから、上体２３の片持梁構造の簡素化を図れる。
【００５０】
しかも、伝票１２０を、下体２５と上体２３との隙間２５Ｈを通して図１に示す当該伝票１２０の一部１２１がプリンタ本体２１内に挿入されかつその残部１２２がプリンタ本体２１外に突出する状態で前後方向（Ｘｓ１，Ｘｓ２）に搬送可能に形成し、伝票１２０の平面的大きさに関する適応性が広い。
【００５１】
さらに、搬送装置の２組（５０，６０）を上下方向に配設し、上方側の搬送装置６０が伝票１２０を搬送可能でかつ下方側の搬送装置５０がレシート用紙１１０を搬送可能に形成し、つまり、連続紙（１１０）を下方側で搬送可能な状態を保持しつつ、その上方で非連続紙（１２０）を適宜に挿入して印字させることができるとともに、上下関係にあるのでレシート用紙１１０上の印字面（上面）に伝票１２０の非印字面（下面）が直接に触れることがないから、レシート用紙１１０および伝票１２０の搬送を一段と円滑に行えかつ印字品質を一段と向上できる。
【００５２】
以下、図４〜図８を参照して、用紙搬送装置５０および伝票搬送装置６０を詳細に説明する。
図５〜図７において、レシート用紙１１０を用紙搬送方向Ｘｒに搬送する用紙搬送装置５０は、図５に示す印字領域Ａｐの上流側（図５で上方側、図７で右側）に配設された用紙搬送用ローラー５２Ｕ・５５Ｕと、その下流側（図５で下方側、図７で左側）に配設された用紙搬送用ローラー５２Ｄ・５５Ｄと、から構成されている。
【００５３】
上流側の用紙搬送用ローラー５２Ｕ・５５Ｕは、レシート用紙１１０の印字面（上面）に接触しないので、当該回転軸５１Ｕ・５３Ｕの左右方向の中央に設けた各１つのローラー要素（５２Ｕ・５５Ｕ）から形成されている。なお、各回転軸５１Ｕ・５３Ｕに複数（２以上）のローラー要素を配設した構造としてもよい。
【００５４】
下流側の用紙搬送用ローラー５２Ｄ・５５Ｄは、レシート用紙１１０の印字面（上面）に接触し得るので、当該回転軸５１Ｄ・５３Ｄの左右方向に振り分け配設した図５に示す各２つのローラー要素５２ＥＤＬ・５５ＥＤＬ，５２ＥＤＲ・５５ＥＤＲとから形成されている。
【００５５】
すなわち、配置上の余裕，レシート用紙１１０およびインクの性状や搬送速度の関係で、レシート印字情報に含まれる図６に示す文字列（文字情報）１１４のインク乾きは早いが、インクドット密度が高い画像からなるロゴマーク１１５のインク乾きが遅くなる虞を考慮して、各用紙搬送用ローラー５２Ｄ・５５Ｄのレシート用紙幅（１１０Ｗ）方向に離隔された内側２つのローラー要素５２ＥＤＬ・５５ＥＤＬ，５２ＥＤＲ・５５ＥＤＲの図６に示す内側間隔Ｗｒを、レシート用紙１１０に印字されたレシート印字情報中のロゴマーク幅１１５Ｗを超えるものとして当該回転軸５１Ｄ・５３Ｄ上に配設してある。
【００５６】
なお、例えば搬送速度が非常に高い場合には、内側２つのローラー要素５２ＥＤＬ・５５ＥＤＬ，５２ＥＤＲ・５５ＥＤＲの内側間隔Ｗｒを、レシート用紙１１０に印字されたレシート印字情報中の文字列１１４を超えるものとして当該回転軸５１Ｄ・５３Ｄ上に配設し、さらに用紙搬送方向Ｘｒに３以上の用紙搬送用ローラーを設けてもよい。
【００５７】
また、各用紙搬送用ローラー５２Ｕ・５５Ｕ，５２Ｄ・５５Ｄ（５２ＥＤＬ・５５ＥＤＬ，５２ＥＤＲ・５５ＥＤＲ）を、レシート用紙１１０の非印字面（下面）１１１がインクジェット印字ヘッド４０に対向しかつ図７に示す印字ガイド面２９に接触可能として配設してある。印字ガイド面２９は、図７に示した左右方向の寸法よりも実際には左右方向に長く、レシート用紙１１０の挿入時の用紙ガイドにも利用する。この意味で、用紙挿入ガイド面といえる。
【００５８】
また、上流側用紙搬送用ローラー５２Ｕ・５５Ｕと下流側用紙搬送用ローラー５２Ｄ・５５Ｄ（５２ＥＤＬ・５５ＥＤＬ，５２ＥＤＲ・５５ＥＤＲ）とが、レシート用紙１１０に用紙搬送方向Ｘｒの張力を加えつつ搬送可能に形成されている。
【００５９】
つまり、下流側用紙搬送用ローラー５２Ｄ・５５Ｄの周速度の方が上流側用紙搬送用ローラー５２Ｕ・５５Ｕの周速度よりも、僅かに高速となっている。また、下流側用紙搬送用ローラー５２Ｄ・５５Ｄは、張力が一定範囲外になった場合には図示しないワンウェイクラッチの滑り作用により一定範囲内の張力に戻すことができる。したがって、レシート用紙１１０を弛みや凹凸が無く搬送できるから、非接触印字のインクジェット印字ヘッド４０でも鮮明な印字ができる。
【００６０】
一方、伝票１２０を搬送する伝票搬送装置６０は、図５に示す印字領域Ａｐの下流側（レシート用紙１１０では上流側である。）に配設された伝票搬送用ローラー６２Ｕ・６５Ｕと、その上流側（レシート用紙１１０では下流側である。）に配設された伝票搬送用ローラー６２Ｄ・６５Ｄとから構成されている。
【００６１】
これら各伝票搬送用ローラー６２Ｕ・６５Ｕ，６２Ｄ・６５Ｄは、用紙搬送装置５０を構成する各用紙搬送用ローラー５２Ｕ・５５Ｕ，５２Ｄ・５５Ｄ（５２ＥＵＬ・５５ＥＵＬ，５２ＥＤＲ・５５ＥＤＲ）間内に配設されている。レシート用紙１１０の剛性よりも剛性が強い場合が多い非連続紙（伝票１２０）を、より確実かつ安定して搬送できるようにするためである。
【００６２】
上流側の伝票搬送用ローラー６２Ｄ・６５Ｄは、レシート用紙１１０の印字面（上面）との接触を防止するために、当該回転軸６１Ｄ・６３Ｄの左右方向に図２に示す内側間隔Ｗｓをとって振り分け配設された各２つのローラー要素６２ＥＤＬ・６５ＥＤＬ，６２ＥＤＲ・６５ＥＤＲから形成されている。
【００６３】
同様に、下流側の伝票搬送用ローラー６２Ｕ・６５Ｕは、剛性の大きな伝票１２０の確実な搬送を期するためおよびレシート用紙１１０の印字面（上面）との接触を防止するために、当該回転軸６１Ｕ・６３Ｕの左右方向に内側間隔Ｗｓをとって離隔配設（左右方向に振り分け配設）された各２つのローラー要素６２ＥＵＬ・６５ＥＵＬ，６２ＥＵＲ・６５ＥＵＲから形成されている。
【００６４】
また、下流側伝票搬送用ローラー６２Ｕ・６５Ｕ（６２ＥＵＬ・６５ＥＵＬ，６２ＥＵＲ・６５ＥＵＲ）と上流側伝票搬送用ローラー６２Ｄ・６５Ｄ（６２ＥＤＬ・６５ＥＤＬ，６２ＥＤＲ・６５ＥＤＲ）とが、伝票１２０に伝票搬送方向（Ｘｓ１，Ｘｓ２）の張力を加えつつ、搬送可能に形成されている。伝票１２０に伝票情報を印字する正搬送方向Ｘｓ１に搬送する場合に張力を与える。
【００６５】
つまり、下流側伝票搬送用ローラー６２Ｕ・６５Ｕの周速度の方が上流側伝票搬送用ローラー６２Ｄ・６５Ｄの周速度よりも、僅かに高速となっている。なお、各搬送ローラー（ローラー要素）に付したＵ（上流側）およびＤ（下流側）なる符号は、上記の通り、レシート用紙１１０の搬送方向Ｘｒに対して定義した。したがって、伝票１２０の場合には、Ｄ（上流側）およびＵ（下流側）なる符号を付してある。
【００６６】
そして、下流側伝票搬送用ローラー６２Ｕ・６５Ｕは、伝票１２０に加わる張力が一定範囲外になった場合には図９に示すワンウェイクラッチ６９の滑り作用により一定範囲内の張力に戻す（張力を一定範囲内に保持する。）ことができる。したがって、レシート用紙１１０に比較して高剛性の伝票１２０でも弛みや凹凸が無く搬送できるから、インクジェット印字ヘッド４０に非接触でも、高品質かつ鮮明な印字ができる。
【００６７】
また、各伝票搬送用ローラー６２Ｕ・６５Ｕ，６２Ｄ・６２Ｄの図３，図５に示すレシート用紙幅方向１１０Ｗに離隔された内側２つのローラー要素６２ＥＵＬ・６５ＥＵＬ，６２ＥＵＲ・６５ＥＵＲ、６２ＥＤＬ・６５ＥＤＬ，６２ＥＤＲ・６５ＥＤＲの図５に示す内側間隔Ｗｓが、レシート用紙幅１１０Ｗを超えるものとして当該回転軸６１Ｕ・６３Ｕ，６１Ｄ・６３Ｄ上に配設されている。したがって、各ローラー要素の最内側２つがレシート用紙１１０に直接接触することがない。つまり、印字されたレシート印字情報（半乾き状態のインク）に触れない。
【００６８】
なお、“最内側２つ”とは、各１回転軸に対する各ローラー要素が例えば各４つ以上の場合でも、その内の左右方向の各一番内側になる各１つを意味する。
【００６９】
ここに、各用紙搬送用ローラー５２Ｕ・５５Ｕ，５２Ｄ・５５Ｄと各伝票搬送用ローラー６２Ｕ・６５Ｕ，６２Ｄ・６５Ｄとの上下位置関係を、図７，図８に示すように、用紙搬送方向Ｘｒに搬送可能な状態にあるレシート用紙１１０の上方でかつ当該レシート用紙１１０の上面と一定のクリアランスＣｓｒを保持しつつ伝票１２０を搬送可能に選択してある。
【００７０】
すなわち、図５に示す平面的離隔に加え、さらに図７に示す上下方向離隔（Ｃｓｒ）を確立することにより、各伝票搬送用ローラー６２Ｄ・６５Ｄ，６２Ｕ・６５Ｕと各用紙搬送用ローラー５２Ｄ・５５Ｄ，５２Ｕ・５５Ｕとの干渉を上下方向においても確実に回避できる。
【００７１】
かくして、レシート用紙１１０の印字面（上面）を汚すことがないばかりか、同一の印字領域Ａｐに２種類の用紙を取り込めかつ伝票搬送用ローラー６２Ｄ・６５Ｄ，６２Ｕ・６５Ｕをレシート用紙搬送領域（１１０Ｗ）から外側に外れた位置に配設でき、しかも伝票１２０の可逆搬送時に各伝票搬送用ローラー６２Ｄ・６５Ｄ，６２Ｕ・６５Ｕがレシート用紙１１０を搬送してしまうことがないわけである。
【００７２】
これとの関係で、インクジェット印字ヘッド４０のインクジェット特性は、図７に示すインクジェット印字ヘッド４０の先端（下面）と伝票１２０の上面（印字面）とのクリアランスＣｈｓ（例えば、１．０ｍｍ）を確保した上で、少なくとも伝票厚さ１２０ｔ（例えば、０．０９ｍｍ）相当の上下方向距離内で印字品質を一定に維持可能に選択すればよいが、この実施形態では、クリアランスＣｓｒをとったので、伝票厚さ１２０ｔ相当にクリアランスＣｓｒ（例えば、０．４２ｍｍ）を加えた上下方向距離内で印字品質を一定に維持可能に選択されている。なお、レシート用紙１１０の厚さ１１０ｔは、例えば０．０８ｍｍである。
【００７３】
つまり、レシート用紙１１０の上面（印字面）と伝票１２０の下面（非印字面）とを確実に非接触に保持できかつクリアランスＣｓｒを挟んでも伝票１２０とレシート用紙１１０との印字品質を一定に維持できるから、レシート用紙１１０の印字面が伝票１２０で摺られることがなく、高画質印字のレシート（１１０）および伝票１２０を発行・排出できる。
【００７４】
さらに、伝票搬送装置６０を構成する各伝票搬送用ローラー６２Ｄ・６５Ｄ，６２Ｕ・６５Ｕを、逆搬送可能に形成してある。すなわち、伝票１２０を、用紙搬送方向Ｘｒと逆の正搬送方向Ｘｓ１に正搬送できかつ印字後に用紙搬送方向Ｘｒと同じ逆搬送方向Ｘｓ２に逆搬送することができる。
【００７５】
詳しくは、正搬送における下流側（レシート搬送方向Ｘｒで上流側）の伝票搬送用ローラー６２Ｕ・６５Ｕの周速度が上流側（レシート搬送方向Ｘｒで下流側）の伝票搬送用ローラー６２Ｄ・６５Ｄの周速度よりも速くかつ下流側伝票搬送用ローラー６２Ｕ・６５Ｕが伝票紙送り方向（Ｘｓ１，Ｘｓ２）の張力を一定範囲内に保持可能であるとともに、下流側伝票搬送用ローラー６２Ｕ・６５Ｕが逆搬送時に図９に示す駆動源たるギヤ６７（遊星歯車６８）から切離し可能に形成されている。
【００７６】
この実施形態では、下流側伝票搬送用ローラー６２Ｕ・６５Ｕが、図９に示す滑り機構を含むワンウェイクラッチ（スプリングクラッチ）６９を介して伝票１２０に加わる伝票紙送り方向の張力が一定範囲を超える場合にその滑り作用により空回りする。ワンウェイクラッチ６９は、下流側伝票搬送用ローラー６２Ｕ・６５Ｕ内に組込んでもよい。
【００７７】
図９において、遊星歯車機構６６は、支軸６７Ｓを中心に回転可能な駆動源たるギヤ６７と，このギヤ６７との摩擦係合によって支軸６７Ｓを中心に回動可能なレバー６８Ａと，このレバー６８Ａの上部側に装着された遊星歯車６８とからなり、ギヤ６７をＡ方向に回転させると遊星歯車６８がａ方向に移動して伝票搬送用ローラー６５Ｕに結合する。反対に、ギヤ６７をＢ方向に回転させると遊星歯車６８がｂ方向に移動して伝票搬送用ローラー６５Ｕから分離させることができる。
【００７８】
すなわち、下流側伝票搬送ローラー６２Ｕ・６５Ｕと遊星歯車６８が係合された状態では、下・上流側伝票搬送ローラー６２Ｄ・６５Ｄ，６２Ｕ・６５Ｕによる正搬送時の伝票１２０に加えられる張力は、空回り可能な下流側伝票搬送用ローラー６２Ｕ・６５Ｕ側のワンウェイクラッチ６９の滑り作用により一定範囲内に保持される。
【００７９】
また、逆搬送時の印字後伝票１２０の先端側が上流側伝票搬送用ローラー６２Ｄ・６５Ｄに係合している場合は、下流側伝票搬送用ローラー６２Ｕ・６５Ｕは遊星歯車６８から分離されて回転自在となる。したがって、遊星歯車６８の係合・分離動作であるから、下流側伝票搬送ローラー６２Ｕ・６５Ｕの正逆回転および回転自在の切換を迅速かつ簡単に行え、切換制御も容易に行える。
【００８０】
つまり、伝票１２０が上流側および下流側の各伝票搬送用ローラー６２Ｄ・６５Ｄ，６２Ｕ・６５Ｕに係合している期間中は、下流側伝票搬送用ローラー６２Ｕ・６５Ｕの周速度が上流側伝票搬送用ローラー６２Ｄ・６５Ｄの周速度よりも速いので伝票１２０に伝票紙送り方向の張力を加えられかつ下流側伝票搬送用ローラー６２Ｕ・６５Ｕがその張力を一定範囲内に保持する。したがって、一定張力による弛みのない状態で印字できるから一段と印字品質を向上できる。
【００８１】
また、逆搬送時には、下流側伝票搬送用ローラー６２Ｕ・６５Ｕが遊星歯車６８から切離され回転自在となるので、周速度差が伝票１２０に悪影響を与えることはない。したがって、レシート（１１０）の発行部２５Ｒと伝票挿入部（伝票排出部）２５Ｓとを同一方向に揃えられるから、取扱が非常に容易で業務能率を向上できる。
【００８２】
かかる実施形態のレジ用インクジェットプリンタ２０では、図１に示す上蓋２４を開放してからロール用紙収容部２７に図７に示すレール用紙１１０Ｒを収容させる。そして、ロール用紙１１０Ｒからレシート用紙１１０を巻癖あるまま引出しつつ、その先端を下向きとして用紙搬送装置５０の上流側用紙搬送用ローラー５２Ｕ，５５Ｕ間に通し、さらに押込む。
【００８３】
その先端は下向きのまま印字ガイド面（用紙挿入ガイド面）２９上を滑り、方向転換ローラー５８Ｌ，５８Ｒ上を通過して下方に配設された下流側用紙搬送用ローラー５２Ｄ（５２ＥＤＬ・５２ＥＤＲ），５５Ｄ（５５ＤＥＬ・５５ＥＤＲ）間を通り、図１のレシート発行口２５Ｒから外に出る。外に出た部分は、カッター部で切断して取除く。すなわち、レシート用紙１１０を用紙搬送装置５０にセッティングすることができる。その後に上蓋２４を閉じる。
【００８４】
ここに、図３，図８に示す付勢手段７０（バネ７０Ｌ，７０Ｒ）が、下側の各搬送ローラー５５Ｕ・５５Ｄ（６５Ｕ・６５Ｄ）を上体２３側に設けられた左右方向に伸びる上側の各搬送用ローラー５２Ｕ・５２Ｄ（６２Ｕ・６２Ｄ）側へ常に押し上げるので、上体２３の撓み変形の影響を除去できる。
【００８５】
つまり、ともに上体２３側に設けられたキャリア３２のガイドロッド３１と上側の各搬送ローラー５２Ｕ・５２Ｄ（６２Ｕ・６２Ｄ）［回転軸５１Ｕ，５１Ｄ（６１Ｕ，６１Ｄ）］とは左右方向に渡って上下方向の相対位置が一定であり、上側の各搬送用ローラー５２Ｕ・５２Ｄ（６２Ｕ・６２Ｄ）の下側接触位置と当該下側の各搬送用ローラー５５Ｕ・５５Ｄ（６５Ｕ・６５Ｄ）の上側接触位置とは左右方向の何処でも密接している。すなわち、各接触位置は、ガイドロッド３１を左右方向に摺動（往復移動）するインクジェット印字ヘッド４０との上下方向相対位置が一定である。
【００８６】
かくして、連続紙であるレシート用紙１１０を、上流側（例えば、奥行側）の用紙搬送用ローラー５２Ｕ・５５Ｕと下流側（手前側）の用紙搬送用ローラー５２Ｄ・５５Ｄとで、用紙搬送方向Ｘｒのインクジェット印字ヘッド４０側へ搬送できる。レシート用紙１１０に張力を加えつつ搬送する。その下面が印字ガイド面２９上に接触されるので、弛みや凹凸が無く搬送することができる。
【００８７】
したがって、電子キャッシュレジスタ１０から登録商品データ等を含むレシート印字情報を受信すると、制御部が印字領域Ａｐに位置付けされたインクジェット印字ヘッド４０を駆動制御して当該レシート印字情報を印字する。印字された後に、当該レシート用紙１１０は下流側に搬送され、カットされてレシートとなる。
【００８８】
このレシート用紙１１０の搬送中においても、各伝票搬送用ローラー６２Ｕ・６５Ｕおよび６２Ｄ・６５Ｄがレシート用紙幅１１０Ｗ方向に離隔された各２つのローラー要素６２ＥＵＬ，６２ＥＵＲ・６５ＥＵＬ，６５ＥＵＲおよび６２ＥＤＬ，６２ＥＤＲ・６５ＥＤＬ，６５ＥＤＲを同一回転軸６１・６３上に配設した構造であるから、各伝票搬送用ローラー６２Ｕ（６２ＥＵＬ，６２ＥＵＲ）・６５Ｕ（６５ＥＵＬ，６５ＥＵＲ）および６２Ｄ（６２ＥＤＬ，６２ＥＤＲ）・６５Ｄ（６５ＥＤＬ，６５ＥＤＲ）と、各用紙搬送用ローラー５２Ｕ・５５Ｕおよび５２Ｄ（５２ＥＤＬ，５２ＥＤＲ）・５５Ｄ（５５ＥＤＬ，５５ＥＤＲ）との平面的な干渉を回避できる。
【００８９】
つまり、同一の印字領域Ａｐに２種類の用紙（１１０，１２０）を取り込めかつ伝票搬送用ローラー６２Ｕ（６２ＥＵＬ，６２ＥＵＲ）・６５Ｕ（６５ＥＵＬ，６５ＥＵＲ）および６２Ｄ（６２ＥＤＬ，６２ＥＤＲ）・６５Ｄ（６５ＥＤＬ，６５ＥＤＲ）をレシート用紙搬送領域（１１０Ｗ）から外れた位置に配設でき、しかも各伝票搬送用ローラー６２Ｕ（６２ＥＵＬ，６２ＥＵＲ）・６５Ｕ（６５ＥＵＬ，６５ＥＵＲ）および６２Ｄ（６２ＥＤＬ，６２ＥＤＲ）・６５Ｄ（６５ＥＤＬ，６５ＥＤＲ）が伝票搬送時に下方のレシート用紙１１０を搬送してしまうことがない。
【００９０】
一方、非連続紙である伝票１２０に伝票情報を印字させるには、当該伝票１２０を図１に示す伝票挿入部２５Ｓを平面ガイドとしつつ上体２３と下体２５との隙間２５Ｈを通して伝票搬送方向（正搬送方向Ｘｓ１）へ押込む。当該伝票１２０の図１で左側は、プリンタ本体２１の左方へ突出したままでよい。
【００９１】
すると、制御部が、伝票１２０の先端が確認（検出）されたことを条件に、図９に示す遊星歯車機構６６を駆動して遊星歯車６８を下流側伝票搬送用ローラー６２Ｕ・６５Ｕに係合させ、当該下流側伝票搬送用ローラー６２Ｕ・６５Ｕを回転駆動可能状態としかつ上流側伝票搬送用ローラー６２Ｄ・６５Ｄとともに正転させる。これにより、挿入された伝票１２０をインクジェット印字ヘッド４０側（正搬送方向Ｘｓ１）へ正搬送することができる。
【００９２】
伝票１２０の先端が下流側伝票搬送用ローラー６２Ｕ・６５Ｕに係合されると、当該伝票１２０に伝票搬送方向（Ｘｓ１）の張力が加わる。この段階でインクジェット印字ヘッド４０が駆動されて、伝票情報が印字される。当該伝票１２０は、印字中も行送りされ、正搬送方向へ搬送されその先端部側が図１の上蓋２４上に一時保留される。
【００９３】
印字が終了すると、一旦停止された各伝票搬送用ローラー６２Ｕ・６５Ｕ，６２Ｄ・６５Ｄは逆転される。印字後伝票１２０を逆搬送方向Ｘｓ２へ逆搬送することができる。搬送中の伝票１２０の下面は下方のレシート用紙１１０の上面に接触することはない。
【００９４】
そして、逆搬送中の伝票先端側が上流側伝票搬送用ローラー６２Ｄ・６５Ｄの手前に係合している場合は、遊星歯車６８を分離して下流側伝票搬送用ローラー６２Ｕ・６５Ｕの回転を停止し（空回り）させ、上流側伝票搬送用ローラー６２Ｄ・６５Ｄとの周速度差によるジャムの発生を防止する。
【００９５】
したがって、これ以降は、上流側伝票搬送用ローラー６２Ｄ・６５Ｄのみによって伝票１２０は逆搬送方向Ｘｓ２へ逆搬送され、伝票情報が印刷された伝票１２０を伝票排出部２５Ｓ（元の位置）に排出させる。排出が終了すると、各ローラーは停止される。
【００９６】
しかして、この実施形態によれば、プリンタ本体２１が左右方向の一方側ＲＴで上体２３が下体２５に連結されかつその他方側ＦＴで当該上体２３が当該下体２５に非連結とされた片持梁構造に形成され、上体にガイドロッド３１とキャリア３２とインクジェット印字ヘッド４０とを設け、印字対象用紙を前後方向に搬送するための搬送装置５０（６０）として、上体２３側に設けた上搬送ローラー５２Ｕ・５２Ｄ（６２Ｕ・６２Ｄ）と，下体２５側に設けた下搬送ローラー５５Ｕ・５５Ｄ（６５Ｕ・６５Ｄ）と，下搬送ローラー側を上搬送ローラー側に付勢する付勢手段７０とを有し、上体２３の一方側ＲＴから他方側ＦＴに向けて増大する撓み変形の影響を除去しつつ下搬送ローラーと上搬送ローラーとで搬送される用紙１１０（１２０）の上面とインクジェット印字ヘッド４０との上下方向間隔を一定範囲内に保持可能に形成されているので、連続紙たるレシート用紙１１０や他方側の隙間２５Ｈを通した非連続紙たる伝票１２０を前後方向に搬送しつつ高密度な文字列や図形を高品質で静かに印字することができる。
【００９７】
また、上搬送ローラー５２Ｕ・５２Ｄ，６２Ｕ・６２Ｄ（下搬送ローラー５５Ｕ・５５Ｄ，６５Ｕ・６５Ｄ）が、当該各回転軸に離隔する複数の上搬送ローラー要素（下搬送ローラー要素）から形成され、かつ付勢手段７０が下搬送ローラー用の回転軸を左右方向の２点（７０Ｌ，７０Ｒ）で付勢可能に形成されているので、搬送装置５０，６０で前後方向に搬送される印字対象媒体１１０，１２０の左右方向（幅方向）における各部位とインクジェット印字ヘッド４０との間隔を一段と均一にできるから、印字品質を一層高められる。しかも、付勢手段７０の付勢力が、一方側（７０Ｒ）が弱くかつ他方側（７０Ｌ）が強いものとされているので、上体２１の構造簡素化を図れる。
【００９８】
また、搬送装置６０が非連結とされた下体２５と上体２３との隙間２５Ｈを通して一部１２１がプリンタ本体２１内に挿入されかつその残部１２２がプリンタ本体２１外に突出する伝票１２０を当該一部１２１と接触して前後方向に搬送可能に形成されているので、伝票１２０の平面的大きさに関する適応性が広い。
【００９９】
また、上方側の搬送装置６０が伝票１２０を搬送可能でかつ下方側の搬送装置５０が連続紙であるレシート用紙１１０を搬送可能に形成されているので、レシート用紙１１０および伝票１２０の搬送を一段と円滑に行えかつ印字品質を一段と向上できる。
【０１００】
さらに、上流側用紙搬送用ローラー５２Ｕ・５５Ｕと下流側用紙搬送用ローラー５２Ｄ・５５Ｄとは、レシート用紙１１０に用紙搬送方向Ｘｒの張力を加えつつ、かつ当該レシート用紙１１０の非印字面１１１をインクジェット印字ヘッド４０に対向配設された印字ガイド面２９に接触させつつ、上流側から下流側へ搬送することができるので、インクジェット印字ヘッド４０とレシート用紙１１０の印字面との間隔（Ｃｈｓ＋伝票厚さ分＋Ｃｓｒ）を一定に保持できかつレシート用紙１１０に弛みがないから、印字品質を一段と高めることができる。
【０１０１】
さらに、両伝票搬送用ローラー６２Ｄ・６５Ｄ，６２Ｕ・６５Ｕが両用紙搬送用ローラー５２Ｄ・５５Ｄ，５２Ｕ・５５Ｕ間内に配設してあるので、両伝票搬送用ローラー６２Ｄ・６５Ｄ，６２Ｕ・６５Ｕ間の距離を短縮化できる。また、伝票１２０への印字は、当該伝票１２０が両伝票搬送用ローラー６２Ｄ・６５Ｄ，６２Ｕ・６５Ｕに接触（係合）している場合に実行されるので、伝票１２０上の印字不可能領域（余白部）を小さくすることができる。しかも、レジ全体の小型化にも有効である。
【０１０２】
さらに、各用紙搬送用ローラー５２Ｄ・５５Ｄ，５２Ｕ・５５Ｕのレシート用紙幅方向に離隔された内側２つのローラー要素５２ＥＤＬ・５５ＥＤＲの内側間隔Ｗｒが、レシート用紙１１０に印字されたレシート印字情報中のロゴマーク幅１１５Ｗを超える。つまり、回転軸５１・５３上に配設されたローラー要素５２ＥＤＬ・５５ＥＤＲの最内側２つがレシート用紙１１０に印字されたインクドットが高密度であるためにインク乾きが他の文字情報等と比較して遅いロゴマーク１１５に触れることがない。したがって、ロゴマーク１１５の品質を確実に維持できかつロゴマークを複雑な図形やカラー画像とすることができるので適応性が広い。
【０１０３】
さらにまた、各伝票搬送用ローラー６２Ｄ・６５Ｄ，６２Ｕ・６５Ｕのレシート用紙幅方向に離隔された内側２つのローラー要素６２ＥＤＬ，６２ＥＤＲ・６５ＥＤＬ，６５ＥＤＲおよび６２ＥＵＬ，６２ＥＵＲ・６５ＥＵＬ，６５ＥＵＲの内側間隔Ｗｓが、レシート用紙幅１１０Ｗを超える。つまり、回転軸６１，６３上に配設されたローラー要素の最内側２つがレシート用紙に触れることがない。したがって、レシート用紙１１０上に印字されたレシート印字情報の品質を確実に維持できる。
【０１０４】
請求項１の発明によれば、プリンタ本体が上体と下体とから構成され、上記上体は、左右方向の一方側で前記下体に連結されかつその他方側で前記下体に非連結とされた片持梁構造に構成され、前記上体に左右方向に伸びるガイドロッドと、このガイドロッドに左右方向に移動可能に装着されたキャリアと、このキャリアに装着されたインクジェット印字ヘッドとが設けられ、印字対象用紙を前後方向に搬送する搬送装置として、前記上体側の上流側と下流側とにそれぞれ設けられ、左右方向に伸びる上搬送ローラーと、前記下体側に上記上搬送ローラにそれぞれ対向して設けられ、左右方向に伸びる下搬送ローラーと、下搬送ローラー側を左右方向の複数点で上搬送ローラー側に常にばね付勢する付勢手段とを有し、上記付勢手段のばね付勢力は、前記一方側より前記他方側を大きく設定し、前記上体の前記一方側から前記他方側に向けて増大する撓み変形の影響を除去したレジ用インクジェットプリンタであるから、上体の一方側から他方側に向けて増大する撓み変形の影響を除去し、連続紙たるレシート用紙（印字対象用紙）や他方側の隙間を通した非連続紙たる伝票（印字対象用紙）を前後方向に搬送しつつ高密度な文字列や図形を高品質で静かに印字することができる。
【０１０５】
また、請求項２の発明によれば、上・下搬送ローラーが、各回転軸に離隔する複数の上・下搬送ローラー要素から形成され、かつ付勢手段が下搬送ローラー用の回転軸を左右方向の複数点で付勢可能に形成されているので、請求項１の発明の場合と同様な効果を奏することができることに加え、さらに搬送装置で前後方向に搬送される印字対象媒体の左右方向（幅方向）における各部位とインクジェット印字ヘッドとの間隔を一段と均一にできるから、印字品質を一層高められる。
【０１０７】
さらに、請求項２の発明によれば、前記印字対象用紙が非連続紙である伝票とされ、前記搬送装置は、前記非連結とされた他方側で、前記下体と前記上体との隙間を通して前記伝票の一部がプリンタ本体内に挿入されかつ前記伝票の残部がプリンタ本体外に突出する伝票を、前記伝票の一部と接触して前記前後方向に搬送可能に形成されているので、請求項１の場合と同様な効果を奏することができることに加え、さらに伝票の平面的大きさに関する適応性が広い。
【０１０８】
さらにまた、請求項３の発明によれば、前記印字対象用紙は、非連続紙である伝票および連続紙であるレシート用紙であり、前記搬送装置は、前記非連続紙である伝票を、前記前後方向である伝票搬送方向に搬送する伝票搬送装置と前記レシート用紙を前記前後方向である用紙搬送方向に搬送する用紙搬送装置とを備えているので、請求項１および請求項２の各発明の場合と同様な効果を奏することができることに加え、さらにレシート用紙および伝票の搬送を一段と円滑に行えかつ印字品質を一段と向上できる。
【図面の簡単な説明】
【図１】本発明の実施形態を示す外観斜視図である。
【図２】同じく、プリンタ内部を説明するための外観斜視図である。
【図３】同じく、プリンタ内部を説明するための正面図である。
【図４】同じく、プリンタ内部を説明するための側面図である。
【図５】同じく、用紙搬送装置および伝票搬送装置を説明するための平面図である。
【図６】同じく、レシート用紙への印字態様例を説明するための平面図である。
【図７】同じく、用紙搬送装置および伝票搬送装置を説明するための側面図である。
【図８】同じく、用紙搬送装置および伝票搬送装置を説明するための外観斜視図である。
【図９】同じく、伝票搬送装置の切換動作を説明するための側面図である。
【符号の説明】
１０  電子キャッシュレジスタ（レジ）
１０Ｃ  ケーブル
１４  キーボード
１６  表示器
２０  レジ用インクジェットプリンタ
２１  プリンタ本体
２３  上体
２４  上蓋
２５  下体
２６Ｒ  レシート発行部
２５Ｓ  伝票挿入部（伝票排出部）
２７  ロール用紙収容部
２９  印字ガイド面
３０  キャリア移動機構
３１  ガイドロッド
３２  キャリア
４０  インクジェット印字ヘッド
４５  インクカセット
５０  用紙搬送装置（搬送装置）
５１  回転軸
５２  用紙搬送用ローラー（上搬送ローラー）
５２Ｅ  ローラー要素
５５  用紙搬送用ローラー（下搬送ローラー）
５５Ｅ  ローラー要素
６０  伝票搬送装置（搬送装置）
６１  回転軸
６２  伝票搬送用ローラー（上搬送ローラー）
６２Ｅ  ローラー要素
６５  伝票搬送用ローラー（下搬送ローラー）
６５Ｅ  ローラー要素
６６  遊星歯車機構
７０  付勢手段（搬送装置）
７０Ｌ，７０Ｒ  バネ
１００  ヘッドメンテナンス手段
１１０Ｒ  ロール用紙
１１０  レシート用紙（印字対象用紙）
１１４  文字列
１１５  ロゴマーク
１２０  伝票（印字対象用紙）
１２１  一部
１２２  残部
【図１】
0003854425.tif 000002
【図２】
0003854425.tif 000003
【図３】
0003854425.tif 000004
【図４】
0003854425.tif 000005
【図５】
0003854425.tif 000006
【図６】
0003854425.tif 000007
【図７】
0003854425.tif 000008
【図８】
0003854425.tif 000009
【図９】
0003854425.tif 000010